(57)【特許請求の範囲】
【請求項１】
木質板からなるパネル基材と、
前記パネル基材の裏面側に所定のヒータパターンで配線される線ヒータと、
前記線ヒータの下方側に積層される柔軟性を有する緩衝材とを備えた直貼りタイプの床暖房パネルにおいて、
前記緩衝材を、ゴム硬度が７０度以上の素材によって形成すると共に、前記緩衝材の上面に、前記線ヒータを収容するヒータ収容溝を形成したことを特徴とする床暖房パネル。
【請求項２】
前記線ヒータは、前記パネル基材と前記緩衝材との間に挟み込まれる熱伝導性の良好な均熱材に接着されている請求項１に記載の床暖房パネル。
【請求項３】
前記線ヒータは、前記パネル基材と前記緩衝材との間に挟み込まれる、不織布によって形成された基材シートに接着されている請求項１に記載の床暖房パネル。
【発明の詳細な説明】
【０００１】
【発明の属する技術分野】
この発明は、床暖房フロアを施工する際に使用される、発熱体としての線ヒータが内蔵された直貼りタイプの床暖房パネルに関する。
【０００２】
【従来の技術及び発明が解決しようとする課題】
床暖房フロアを施工する際に使用される直貼りタイプの床暖房パネルとしては、例えば、図７に示すようなものがある。この床暖房パネル５０は、パーティクルボードや合板等の木質板によって形成されたパネル基材５１と、発熱体としての線ヒータ５２と、パネル基材５１の裏面側に貼着される柔軟性を有する緩衝材５３とから構成されており、線ヒータ５２は、パネル基材５１の裏面側に所定のヒータパターンに沿って形成されたヒータ収容溝５１ａに収容された状態で、緩衝材５３によって覆われている。
【０００３】
このような床暖房パネル５０では、線ヒータ５２を収容するヒータ収容溝５１ａが比較的硬質な木質板からなるパネル基材５１側に形成されているので、この床暖房パネル５０を用いて施工された床暖房フロアの上を人が歩行したり、家具等が設置されることで荷重がかかった場合でも、その荷重が線ヒータ５２に加わることがなく、線ヒータ５２が損傷を受けにくいといった利点がある。
【０００４】
しかしながら、パネル基材５１の裏面に所定のヒータパターンに沿ってヒータ収容溝５１ａを形成するには、ＮＣルータ等を用いて手間と時間のかかる作業を行わなければならないので生産性が悪く、簡単かつ廉価に床暖房パネル５０を製造することができないといった問題がある。
【０００５】
また、この種の床暖房パネルとしては、図８に示すようなものもある。この床暖房パネル６０は、木質板によって形成されたパネル基材６１と、このパネル基材６１の裏面側に貼着される、合成繊維等を交絡させた伸縮性を有する繊維集合体からなる緩衝材６３との間に線ヒータ６２を挟み込んだものであり、線ヒータ６２は、パネル基材６１の裏面側に貼着される緩衝材６３によって所定のヒータパターンに保持されている。
【０００６】
この床暖房パネル６０では、パネル基材６１と緩衝材６３との間に線ヒータ６２を挟み込むことによって、柔軟性を有する緩衝材６３における線ヒータ６２の配設部分が窪んで、緩衝材６３側に自然にヒータ収容溝が形成されることになるので、上述した床暖房パネル５０のように、パネル基材側にヒータ収容溝を形成するために手間のかかる溝加工を行う必要がなく、簡単かつ廉価に床暖房パネル６０を製造することができるという利点がある。
【０００７】
しかしながら、この床暖房パネル６０では、線ヒータ６２が、パネル基材６１と緩衝材６３との間に単に挟まれているだけなので、この床暖房パネル６０を用いて施工された床暖房フロアの上を人が歩行したり、家具等が設置されることで荷重がかかった場合には、その荷重が線ヒータ６２に直接かかることになり、線ヒータ６２が損傷を受けやすいといった問題がある。
【０００８】
そこで、この発明の課題は、簡単かつ廉価に製造することができ、しかも、内蔵された線ヒータが損傷を受けにくい直貼りタイプの床暖房パネルを提供することにある。
【０００９】
【課題を解決するための手段及びその効果】
上記の課題を解決するため、この発明は、木質板からなるパネル基材と、前記パネル基材の裏面側に所定のヒータパターンで配線される線ヒータと、前記線ヒータの下方側に積層される柔軟性を有する緩衝材とを備えた直貼りタイプの床暖房パネルにおいて、前記緩衝材を、ゴム硬度が７０度以上の素材によって形成すると共に、前記緩衝材の上面に、前記線ヒータを収容するヒータ収容溝を形成したのである。
【００１０】
以上のように構成された床暖房パネルは、７０度以上のゴム硬度を有する比較的硬い素材によって形成された緩衝材の上面に線ヒータを収容するヒータ収容溝を形成したため、この床暖房パネルを用いて施工された床暖房フロアの上を人が歩行したり、家具等が設置されることによって床暖房パネルに荷重がかかった場合でも、緩衝材自体の圧縮量が小さく、緩衝材に形成されたヒータ収容溝の深さが極端に小さくなることもない。従って、ヒータ収容溝に収容された線ヒータに荷重がかかりにくく、荷重のほとんどを緩衝材自体で支えることになるので、ヒータ収容溝を形成することなく単にパネル基材と緩衝材との間に線ヒータを挟み込んだ従来の床暖房パネルに比べて、線ヒータが損傷を受けにくいという効果がある。なお、ここにいう「ゴム硬度」は、ＳＲＩＳ（日本ゴム協会規格）０１０１で規定されているゴム硬度計Ｃ型（アスカー社製）によって測定した硬度である。
【００１１】
また、柔軟性を有する緩衝材は、合成樹脂シートや不織布等によって形成されるのが一般的であるので、熱プレス等を行うことによって所定のヒータパターンに沿ったヒータ収容溝を緩衝材の上面に簡単に形成することができ、木質板によって形成されたパネル基材側にヒータ収容溝を形成する場合のように、ＮＣルータ等による手間と時間のかかる溝加工を行う必要がないので、床暖房パネル自体を簡単かつ廉価に製造することができる。
【００１２】
また、請求項２に記載の床暖房パネルのように、前記線ヒータが、前記パネル基材と前記緩衝材との間に挟み込まれる熱伝導性の良好な均熱材に接着されているものにあっては、線ヒータが均熱材に接着されることで所定のヒータパターンに保持されるので、緩衝材に形成されたヒータ収容溝への線ヒータの収容作業を容易に行うことができると共に、線ヒータの熱が均熱材によってパネル基材に均一に伝達され、床暖房パネルの表面温度のムラをなくすことができるという効果がある。
【００１３】
また、請求項３に記載の床暖房パネルのように、前記線ヒータが、前記パネル基材と前記緩衝材との間に挟み込まれる、不織布によって形成された基材シートに接着されているものにあっては、均熱材に線ヒータが接着されている場合と同様に、線ヒータが所定のヒータパターンに保持されるので、緩衝材に形成されたヒータ収容溝への線ヒータの収容作業を容易に行うことができると共に、線ヒータがアルミニウム箔等の金属箔からなる均熱材に接着されている場合に比べて、パネル基材に対する接着性が向上するという効果がある。
【００１４】
【発明の実施の形態】
以下、実施の形態について図面を参照して説明する。図１、図２及び図３は、集合住宅等におけるコンクリートスラブの上に直接敷設される直貼りタイプの床暖房パネル１を示しており、この床暖房パネル１は、３プライ合板または５プライ合板等の木質板からなるパネル基材１１と、アルミニウム箔等からなる熱伝導性の良好な均熱材１３の下面に予め接着された発熱体としての線ヒータ１４と、柔軟性を有する緩衝材１５とを備えており、緩衝材１５は、線ヒータ１４が接着された均熱材１３を介してパネル基材１１の裏面に貼着されている。
【００１５】
前記パネル基材１１は、図３に示すように、４枚の基材ピース１２を長手方向にずらしながら雁行状に接続したものであり、その表面には、図示しない突板等の表面化粧材が貼着されている。
【００１６】
前記線ヒータ１４は、図３に示すように、パネル基材１１の全領域が略均等に加熱されるような所定のヒータパターンに沿って配線されており、線ヒータ１４の両端部は、リード線１８を介して、パネル基材１１の短手方向に横断する２本の電源線１６にそれぞれ接続されている。なお、電源線１６の両端部には、隣接する床暖房パネル１の電源線１６に接続するためのコネクタ１７ａ、１７ｂがそれぞれ接続されている。
【００１７】
前記緩衝材１５は、多数のポリエステル繊維を交絡させることによって形成されたシート状物であり、その上面には、熱プレス加工によって、線ヒータ１４を収容する、線ヒータ１４の直径と略同一寸法の幅及び深さを有するヒータ収容溝１５ａが上述したヒータパターンに沿って形成されている。
【００１８】
前記緩衝材１５は、７０度以上のゴム硬度を有しており、人が歩行したり、家具を設置する等、通常の使用状態において発生する荷重がパネル基材１１の上面側から加わった場合でも、緩衝材１５自体が大きく圧縮されることがなく、緩衝材１５に形成されたヒータ収容溝１５ａの深さが極端に小さくならないようになっている。緩衝材１５のゴム硬度が７０度以上であれば、通常の使用状態において発生する程度の荷重が床暖房パネルにかかっても、その荷重のほとんどが緩衝材１５によって支えられ、床暖房パネルに通常使用される線ヒータの耐圧性能以上の圧力が、ヒータ収容溝１５ａに収容された線ヒータ１４に加わることがないからである。なお、ここにいう「ゴム硬度」は、ＳＲＩＳ（日本ゴム協会規格）０１０１で規定されているゴム硬度計Ｃ型（アスカー社製）によって測定した値である。
【００１９】
以上のように構成された床暖房パネル１は、緩衝材１５の上面に形成されたヒータ収容溝１５ａに線ヒータ１４を収容する構成を採用したため、パネル基材側にヒータ収容溝を形成する場合のように、ＮＣルータ等による手間と時間のかかる溝加工を行う必要がなく、熱プレス加工等によって簡単にヒータ収容溝１５ａを形成することができる。従って、床暖房パネル１自体を簡単かつ廉価に製造することが可能となる。
【００２０】
また、７０度以上のゴム硬度を有する比較的硬い素材によって緩衝材１５が形成されているので、この床暖房パネル１を用いて施工された床暖房フロアの上を人が歩行したり、家具等が設置されることによって床暖房パネル１に荷重がかかった場合でも、緩衝材１５に形成されたヒータ収容溝１５ａの深さが極端に小さくなることがなく、その荷重のほとんどを緩衝材１５自体で支えることになる。従って、線ヒータ１４にその耐圧性能以上の圧力が加わることがなく、線ヒータ１４が損傷を受けにくくなるという効果がある。
【００２１】
なお、この実施形態では、一層構造の緩衝材１５を採用しているが、これに限定されるものではなく、図４に示すように、上層部２６及び下層部２７からなる二層構造の緩衝材２５を使用することも可能である。このように、緩衝材２５を二層構造にする場合は、ヒータ収容溝２６ａが形成される上層部２６のみを７０度以上のゴム硬度を有する比較的硬い素材によって形成すればよく、下層部２７については、クッション性の良好な比較的柔らかい素材によって形成することができるので、線ヒータ１４の保護性能を確保しつつ、床衝撃音に対する遮音性能を高めることが可能となる。
【００２２】
また、二層構造の緩衝材を採用する場合は、上述したように、熱プレス加工等によって上層部２６にヒータ収容溝２６ａを形成するのではなく、図５に示すように、所定のヒータパターンに沿って上下方向に打ち抜かれた上層部２６に下層部２７を積層することによってヒータ収容溝２６ｂを形成することも可能である。その場合、ヒータ収容溝２６ｂは、上層部２６の打抜き部分を除いて上層部２６と下層部２７とを予め接着した後、上層部２６のみを打ち抜くことによって簡単に形成することができる。
【００２３】
また、上述した実施形態では、ヒータ収容溝１５ａ、２６ａ、２６ｂが線ヒータ１４の直径と略同一寸法の深さに設定されているが、これに限定されるものではなく、床暖房パネル１に荷重が加わった場合に線ヒータ１４が損傷を受けない範囲内であれば、図６に示すように、ヒータ収容溝１５ｂの深さを、線ヒータ１４の直径より若干小さくすることも可能である。
【００２４】
また、上述した実施形態では、均熱材１３の下面に予め線ヒータ１４を接着してあるが、これに限定されるものではなく、例えば、裏面に均熱材１３が貼着されたパネル基材１１と、ヒータ収容溝１５ａ、１５ｂ、２６ａ、２６ｂに線ヒータ１４が収容された緩衝材１５、２５とを貼着することも可能である。ただし、均熱材１３に線ヒータ１４を予め接着しておくことで、線ヒータ１４を所定のヒータパターンに保持することができるので、緩衝材１５、２５に形成されたヒータ収容溝１５ａ、１５ｂ、２６ａ、２６ｂへの線ヒータ１４の収容作業を容易に行うことができると共に、線ヒータ１４が均熱材１３に確実に接触することになるので、均熱材１３の熱伝導性能を十分に発揮させることができるという効果がある。
【００２５】
また、上述した実施形態では、４枚の基材ピース１２を長手方向にずらしながら雁行状に接続したパネル基材１１を使用しているが、これに限定されるものではなく、１枚の木質板によって形成されたパネル基材や、平面形状が長方形のパネル基材を使用することも可能である。
【００２６】
また、上述した実施形態では、アルミニウム箔等からなる均熱材１３を使用しているが、これに限定されるものではなく、良好な熱拡散性を確保することができるのであれば、種々の材質の均熱材を使用することが可能である。
【００２７】
また、上述した実施形態では、多数のポリエステル繊維を交絡させることによって形成されたシート状物からなる緩衝材１５、２５を使用したが、これに限定されるものではなく、例えば、ポリオレフィン系、合成ゴム系、ポリウレタン系等の種々の素材によって形成された緩衝材を使用することができる。ただし、ゴム硬度が７０度以上の素材を採用しなければならないことはいうまでもない。
【００２８】
また、線ヒータ１４の保護という観点からすれば、緩衝材１５は硬ければ硬い程望ましいが、緩衝材１５は硬度が大きくなると、一般的にその緩衝機能が低下する傾向にあるので、床暖房パネル１の使用状況や使用する緩衝材の素材等を考慮して、７０度を下回らない範囲で可能な限りゴム硬度の値を小さく設定しておくことが望ましい。
【００２９】
また、上述した実施形態では、パネル基材１１と緩衝材１５、２５の間に挟み込まれる均熱材１３に線ヒータ１４を予め接着する構成を採用しているが、これに限定されるものではなく、熱伝導性がそれほど悪くならないような薄い不織布等によって形成された基材シートに線ヒータを予め接着する構成を採用することも可能である。
【００３０】
このように、不織布等からなる基材シートに線ヒータを接着した場合は、アルミニウム箔のような金属箔からなる均熱材に線ヒータを接着した場合のように、パネル基材１１に対する良好な熱伝導性能は得られないが、パネル基材１１に対する接着性が向上するという効果が得られる。
【図面の簡単な説明】
【図１】この発明にかかる床暖房パネルの一実施形態を示す断面図である。
【図２】同上の床暖房パネルを示す分解断面図である。
【図３】同上の床暖房パネルにおける線ヒータの配線状態を示す平面図である。
【図４】他の実施形態を示す断面図である。
【図５】他の実施形態を示す断面図である。
【図６】他の実施形態を示す分解断面図である。
【図７】従来例を示す断面図である。
【図８】他の従来例を示す断面図である。
【符号の説明】
１  床暖房パネル
１１  パネル基材
１２  基材ピース
１３  均熱材
１４  線ヒータ
１５、２５  緩衝材
１５ａ、１５ｂ  ヒータ収容溝
２６  上層部
２６ａ、２６ｂ  ヒータ収容溝
２７  下層部
【図１】
0004100851.tif 000002
【図２】
0004100851.tif 000003
【図３】
0004100851.tif 000004
【図４】
0004100851.tif 000005
【図５】
0004100851.tif 000006
【図６】
0004100851.tif 000007
【図７】
0004100851.tif 000008
【図８】
0004100851.tif 000009